(57)【特許請求の範囲】
【請求項１】
エアゾール容器のステムを押圧可能でこの押圧位置を固定し得る押圧本体と、この押圧本体内に設けたエアゾール内容物の導入室と、この導入室方向にエアゾール内容物の噴射剤の圧力よりも小さな圧力で押圧付勢される押圧ピストンと、この押圧ピストンに固定し上端に形成した噴射ノズルを押圧本体から外方に突出するとともにこの噴射ノズルに連通する導出路を形成した押圧杆と、この押圧杆による押圧時に、ステムに連通する導入口に挿入係合してこの導入口及び押圧杆の導出路を閉止するとともにステムと導入室とを連通する微量流通路を形成した閉止駒とから成り、上記微量流通路を、閉止駒の外周面または導入口の内周面に、蛇腹状の溝部を設けて形成し、押圧杆による閉止駒への押圧が解除された時には、閉止駒による閉止を解除し押圧杆の導出路を開放するとともにエアゾール内容物の噴出圧力により閉止駒を導入室方向に上昇移動し、導入口を開口する事を特徴とするエアゾール用遅延噴射装置。
【請求項２】
エアゾール容器のステムを押圧可能でこの押圧位置を固定し得る押圧本体と、この押圧本体内に設けたエアゾール内容物の導入室と、この導入室方向にエアゾール内容物の噴射剤の圧力よりも小さな圧力で押圧付勢される押圧ピストンと、この押圧ピストンに固定し上端に形成した噴射ノズルを押圧本体から外方に突出するとともにこの噴射ノズルに連通する導出路を形成した押圧杆と、この押圧杆による押圧時に、ステムに連通する導入口に挿入係合してこの導入口及び押圧杆の導出路を閉止するとともにステムと導入室とを連通する微量流通路を形成した閉止駒とから成り、上記微量流通路を、閉止駒の外周面または導入口の内周面に、螺旋状の溝部を設けて形成し、押圧杆による閉止駒への押圧が解除された時には、閉止駒による閉止を解除し押圧杆の導出路を開放するとともにエアゾール内容物の噴出圧力により閉止駒を導入室方向に上昇移動し、導入口を開口する事を特徴とするエアゾール用遅延噴射装置。
【請求項３】
エアゾール容器のステムを押圧可能でこの押圧位置を固定し得る押圧本体と、この押圧本体内に設けたエアゾール内容物の導入室と、この導入室方向にエアゾール内容物の噴射剤の圧力よりも小さな圧力で押圧付勢される押圧ピストンと、この押圧ピストンに固定し上端に形成した噴射ノズルを押圧本体から外方に突出するとともにこの噴射ノズルに連通する導出路を形成した押圧杆と、この押圧杆による押圧時に、ステムに連通する導入口に挿入係合してこの導入口及び押圧杆の導出路を閉止するとともにステムと導入室とを連通する微量流通路を形成した閉止駒とから成り、上記微量流通路を、閉止駒の下面または導入口の底面に、蛇腹状の溝部を設けて形成し、押圧杆による閉止駒への押圧が解除された時には、閉止駒による閉止を解除し押圧杆の導出路を開放するとともにエアゾール内容物の噴出圧力により閉止駒を導入室方向に上昇移動し、導入口を開口する事を特徴とするエアゾール用遅延噴射装置。
【請求項４】
エアゾール容器のステムを押圧可能でこの押圧位置を固定し得る押圧本体と、この押圧本体内に設けたエアゾール内容物の導入室と、この導入室方向にエアゾール内容物の噴射剤の圧力よりも小さな圧力で押圧付勢される押圧ピストンと、この押圧ピストンに固定し上端に形成した噴射ノズルを押圧本体から外方に突出するとともにこの噴射ノズルに連通する導出路を形成した押圧杆と、この押圧杆による押圧時に、ステムに連通する導入口に挿入係合してこの導入口及び押圧杆の導出路を閉止するとともにステムと導入室とを連通する微量流通路を形成した閉止駒とから成り、上記微量流通路を、閉止駒の下面または導入口の底面に、螺旋状の溝部を設けて形成し、押圧杆による閉止駒への押圧が解除された時には、閉止駒による閉止を解除し押圧杆の導出路を開放するとともにエアゾール内容物の噴出圧力により閉止駒を導入室方向に上昇移動し、導入口を開口する事を特徴とするエアゾール用遅延噴射装置。
【請求項５】
閉止駒は、押圧杆側を径大、ステム側を径小とする円錐形に形成し、押圧杆による閉止駒の押圧の解除時には、エアゾール内容物の噴出圧により上昇移動し、閉止駒外周と導入口内周との間に、エアゾール内容物の大量流通路を形成して導入室とステムとを連通可能とした事を特徴とする請求項１、２、３又は４のエアゾール用遅延噴射装置。
【請求項６】
閉止駒は、断面長方形の平板状に形成すると共に外周面の上下方向に、微量流通路と連通する大流通口を開口し、押圧杆による閉止駒の押圧の解除時には、エアゾール内容物の噴出圧により上昇移動し、閉止駒の下面と導入口の底面との間に、エアゾール内容物の大量流通路を形成し、この大量流通路と大流通口を介して導入室とステムとを連通可能とした事を特徴とする請求項１、２、３又は４のエアゾール用遅延噴射装置。
【請求項７】
閉止駒は、導入室方向への移動先に、移動停止用のストッパーを設ける事により、閉止駒と押圧杆の導出路との間にエアゾール内容物の流通可能な一定の流通間隔を介在可能とした事を特徴とする請求項１、２、３、４、５又は６のエアゾール用遅延噴射装置。
【発明の詳細な説明】
【０００１】
【産業上の利用分野】
本発明は、バルブ機構の開弁操作後に、一定の時間を経過してからエアゾール内容物の噴射が行われるようにする、エアゾール用遅延噴射装置に係るもので、殺虫剤の噴射等、人体に悪影響を及ぼすようなエアゾール内容物の大量噴射に用いる場合に、特に有効なものである。
【０００２】
【従来の技術】
従来、密閉室内に殺虫剤等を大量に噴霧し、ゴキブリ、ダニ等の、室内の有害虫を排除するために用いられるエアゾール装置に、エアゾール内容物の連続的な噴射を可能とするとともに、このエアゾール内容物の噴射と噴射開始操作との間にタイムラグを設ける遅延噴射機構を備えたものが存在する。この遅延噴射機構により、エアゾール内容物の噴射開始操作を行った後に、この操作者が、エアゾール内容物の噴射開始前に、安全に室外に退去できるものとしている。
【０００３】
そして、このようなエアゾール内容物の遅延噴射を行う方法として、エアゾール内容物の流通経路に、粘性の高い高粘度物を配置し、エアゾール内容物の噴射の際に、このエアゾール内容物の噴射圧力によって、高粘度物を排出する従来技術が存在する。この高粘度物の排出後に、噴出ノズルからエアゾール内容物を外部に噴出可能となるものである。そして、この高粘度物の排出に一定の時間を要する結果、エアゾール内容物の遅延噴射が可能となるものである。
【０００４】
【発明が解決しようとする課題】
しかしながら、高粘度物を使用する方法は、エアゾール内容物と高粘度物が接触して化学反応を起こす可能性があった。また、ノズルに目詰まりを生じたり、高粘度物が床材を汚す等の様々な問題点があった。また、エアゾール内容物の流通経路に高粘度物を配置するのに多くの手数が必要で、エアゾール装置が高価となるし、使用後の高粘度物の回収や廃棄等も面倒であった。
【０００５】
本発明は上述の如き課題を解決しようとするものであって、高粘度物等を全く用いる事なく、エアゾール内容物の遅延噴射を可能とし、高粘度物を用いる事により生じていた、種々の欠点を除去する事を可能とし、信頼性の高い遅延噴射機構を実現するものである。また、この遅延噴射機構を、簡易な構造で廉価に得るものである。また、遅延噴射に於ける時間設定も簡易な方法で任意に設定する事を可能とする。
【０００６】
【課題を解決するための手段】
本発明は、上述の如き課題を解決するため、第１の発明は、エアゾール容器のステムを押圧可能でこの押圧位置を固定し得る押圧本体と、この押圧本体内に設けたエアゾール内容物の導入室と、この導入室方向にエアゾール内容物の噴射剤の圧力よりも小さな圧力で押圧付勢される押圧ピストンと、この押圧ピストンに固定し上端に形成した噴射ノズルを押圧本体から外方に突出するとともにこの噴射ノズルに連通する導出路を形成した押圧杆と、この押圧杆による押圧時に、ステムに連通する導入口に挿入係合してこの導入口及び押圧杆の導出路を閉止するとともにステムと導入室とを連通する微量流通路を形成した閉止駒とから成り、上記微量流通路を、閉止駒の外周面または導入口の内周面に、蛇腹状の溝部を設けて形成し、押圧杆による閉止駒への押圧が解除された時には、閉止駒による閉止を解除し押圧杆の導出路を開放するとともにエアゾール内容物の噴出圧力により閉止駒を導入室方向に上昇移動し、導入口を開口するものである。
【０００７】
また、第２の発明は、エアゾール容器のステムを押圧可能でこの押圧位置を固定し得る押圧本体と、この押圧本体内に設けたエアゾール内容物の導入室と、この導入室方向にエアゾール内容物の噴射剤の圧力よりも小さな圧力で押圧付勢される押圧ピストンと、この押圧ピストンに固定し上端に形成した噴射ノズルを押圧本体から外方に突出するとともにこの噴射ノズルに連通する導出路を形成した押圧杆と、この押圧杆による押圧時に、ステムに連通する導入口に挿入係合してこの導入口及び押圧杆の導出路を閉止するとともにステムと導入室とを連通する微量流通路を形成した閉止駒とから成り、上記微量流通路を、閉止駒の外周面または導入口の内周面に、螺旋状の溝部を設けて形成し、押圧杆による閉止駒への押圧が解除された時には、閉止駒による閉止を解除し押圧杆の導出路を開放するとともにエアゾール内容物の噴出圧力により閉止駒を導入室方向に上昇移動し、導入口を開口するものである。
【０００８】
また、第３の発明は、エアゾール容器のステムを押圧可能でこの押圧位置を固定し得る押圧本体と、この押圧本体内に設けたエアゾール内容物の導入室と、この導入室方向にエアゾール内容物の噴射剤の圧力よりも小さな圧力で押圧付勢される押圧ピストンと、この押圧ピストンに固定し上端に形成した噴射ノズルを押圧本体から外方に突出するとともにこの噴射ノズルに連通する導出路を形成した押圧杆と、この押圧杆による押圧時に、ステムに連通する導入口に挿入係合してこの導入口及び押圧杆の導出路を閉止するとともにステムと導入室とを連通する微量流通路を形成した閉止駒とから成り、上記微量流通路を、閉止駒の下面または導入口の底面に、蛇腹状の溝部を設けて形成し、押圧杆による閉止駒への押圧が解除された時には、閉止駒による閉止を解除し押圧杆の導出路を開放するとともにエアゾール内容物の噴出圧力により閉止駒を導入室方向に上昇移動し、導入口を開口するものである。
【０００９】
また、第４の発明は、エアゾール容器のステムを押圧可能でこの押圧位置を固定し得る押圧本体と、この押圧本体内に設けたエアゾール内容物の導入室と、この導入室方向にエアゾール内容物の噴射剤の圧力よりも小さな圧力で押圧付勢される押圧ピストンと、この押圧ピストンに固定し上端に形成した噴射ノズルを押圧本体から外方に突出するとともにこの噴射ノズルに連通する導出路を形成した押圧杆と、この押圧杆による押圧時に、ステムに連通する導入口に挿入係合してこの導入口及び押圧杆の導出路を閉止するとともにステムと導入室とを連通する微量流通路を形成した閉止駒とから成り、上記微量流通路を、閉止駒の下面または導入口の底面に、螺旋状の溝部を設けて形成し、押圧杆による閉止駒への押圧が解除された時には、閉止駒による閉止を解除し押圧杆の導出路を開放するとともにエアゾール内容物の噴出圧力により閉止駒を導入室方向に上昇移動し、導入口を開口するものである。
【００１０】
また、閉止駒は、押圧杆側を径大、ステム側を径小とする円錐形に形成し、押圧杆による閉止駒の押圧の解除時には、エアゾール内容物の噴出圧により上昇移動し、閉止駒外周と導入口内周との間に、エアゾール内容物の大量流通路を形成して導入室とステムとを連通可能としても良い。
【００１１】
また、閉止駒は、断面長方形の平板状に形成すると共に外周面の上下方向に、微量流通路と連通する大流通口を開口し、押圧杆による閉止駒の押圧の解除時には、エアゾール内容物の噴出圧により上昇移動し、閉止駒の下面と導入口の底面との間に、エアゾール内容物の大量流通路を形成し、この大量流通路と大流通口を介して導入室とステムとを連通可能としても良い。
【００１２】
また、閉止駒は、導入室方向への移動先に、移動停止用のストッパーを設ける事により、閉止駒と押圧杆の導出路との間にエアゾール内容物の流通可能な一定の流通間隔を介在可能としても良い。
【００１３】
【作用】
本発明は、上述の如く構成したものであるから、エアゾール内容物の噴射を行おうとする場合には、押圧本体をエアゾール容器方向に下降して、ステムを押圧する。このステムの押圧状態は、固定的に行われるものであって、押圧本体への人手による押圧力を解除した後も、ステムは継続的に押圧される。このステムの押圧により、エアゾール容器のバルブ機構は継続的に開放され、ステムを介してエアゾール内容物は噴射ノズル方向に噴出しようとする。
【００１４】
しかし、ステムと導入室とを連通する導入口には閉止駒が挿入配置され、導入口を閉止するとともに押圧ピストンの押圧力によって、押圧杆が閉止駒を押圧し、この閉止駒と密着して押圧杆の導出路を閉止している。そのため、エアゾール内容物が導入口を介して大量に導入室に流出する事はなく、ステムと導入室とは、閉止駒の微量流通路のみを介して僅かに連通している。
【００１５】
従って、エアゾール容器からステムを介して流出したエアゾール内容物は、この微量流通路を通って導入室内に流入する。この導入室内へのエアゾール内容物の流入は微量であるから、導入室内の圧力は徐々に上昇し、急激に上昇することはない。そして、押圧ピストンは押圧発条によって導入室方向に押圧され、押圧杆にて閉止駒を押圧しているから、導入室の内部圧力の上昇過程に於て、導出路及び導入口が開放される事はない。
【００１６】
しかしながら、一定時間が経過し、微量流通路を通過したエアゾール内容物が順次導入室内に蓄積されると、導入室内の圧力が上昇する。この上昇限界が押圧ピストンの導入室方向への押圧力よりも高くなった時に、押圧ピストンは噴射ノズル方向、即ち導入室よりも上部方向に移動させられる。
【００１７】
この押圧ピストンの上昇に伴って、押圧杆も同時に上昇するから、導出路を閉止していた閉止駒と押圧杆との接触を開放する。この開放により、閉止駒がエアゾール内容物の噴射圧力によって上昇するため、導入口が開放され、一時に大量のエアゾール内容物が導入口を介して導入室に流入する。そして、この導入室内のエアゾール内容物は、押圧杆の導出路を介して噴射ノズルから外部に噴出されるものとなる。
【００１８】
そして、この噴出に於てエアゾール容器内に充填した噴射剤の圧力を、押圧ピストンの導入室方向への押圧力よりも高いものとしておけば、エアゾール内容物は、噴射剤に押し出されて、全量外部に放出されるものとなる。また、エアゾール容器の操作者は、押圧本体を前述の如く操作してエアゾール容器のバルブ機構を開放した後、導入室内の圧力が上昇するまでの間に室外等へ退避する事により、安全にエアゾール内容物の噴射を行う事が可能となる。
【００１９】
また、押圧本体の操作を行ってエアゾール内容物が外部に噴射されるまでの経過時間は、微量流通路の形状や距離を変える事により、任意に設定できる。即ち、微量流通路の距離を長くしたり、内径を小さく形成すると、微量流通路を通過するエアゾール内容物の流動抵抗が高くなるため、エアゾール内容物の導入室への流入が緩慢となる。従って、エアゾール内容物の噴射までの時間を長く設定でき、遅延効果を高めるものとなる。そして、閉止駒の外周面または導入口の内周面の全面に、蛇腹状の溝部や螺旋状の溝部を設けて微量流通路を形成すれば、微量流通路の距離を長く形成する事ができ、エアゾール内容物の流動抵抗を大きくする事ができる。
【００２０】
逆に、微量流通路の距離を短かくしたり、内径を大きく形成すると、エアゾール内容物の流動抵抗が小さくなって、エアゾール内容物の導入室への流入速度が速くなる。そのため、導入室内の内部圧力の上昇が速まり、エアゾール内容物は短時間で外部に噴出するものとなる。
【００２１】
また、導入口に挿入係合する閉止駒は、何れの形状で形成しても良いが、押圧杆側を径大、ステム側を径小とする円錐形に形成すれば、閉止駒が押圧杆による押圧で、導入口からステム側に脱落する事はない。尚、本明細書中にて円錐形とは、先端を鋭角とした理論上の円錐形は勿論、鋭角部分を切断し平坦とした、円錐台形を含む概念で用いている。
【００２２】
また、押圧杆による閉止駒の押圧の解除時に、導入口から閉止駒を完全に取り外さなくても、エアゾール内容物の噴出圧で導入室内方向に僅かに上昇移動しただけで、閉止駒外周と導入口内周との間に隙間を生じて、エアゾール内容物の流通が可能な大量流通路が確実に形成される。従って、導入室とステムとが大きく連通し、エアゾール容器からステムを介して流出したエアゾール内容物は、大量流通路を介して導入室に流入した後、押圧杆の導出路を介して噴射ノズルから外部に噴射される。
【００２３】
また、導入口に挿入係合する閉止駒を、断面長方形の平板状に形成すれば、円錐形に形成する場合に比較し、製造が容易で廉価な製品を得ることが可能となる。
【００２４】
また、閉止駒が上昇移動した際に、閉止駒が導入室内に不規則に飛ばされたり、閉止駒が押圧杆に接触して導出路を閉止してしまう虞れがある。これを防止するため、閉止駒は、導入室方向への上昇移動先に、上昇移動停止用のストッパーを設ければ、閉止駒の位置が特定され、閉止駒と押圧杆の導出路との間にエアゾール内容物の流通可能な流通間隔の形成が確実なものとなる。そのため、押圧杆の導出路が閉止される事はなく、エアゾール内容物を外部に確実に噴射する事ができる。
【００２５】
上述の如き作用により、本発明のエアゾール用遅延噴射装置は、空間用殺虫剤、ゴキブリ用殺虫剤、園芸用殺虫剤、殺鼠剤、ダニ用殺虫剤、不快害虫用殺虫剤、忌避剤、アリ用殺虫剤、その他の殺虫剤または帯電防止剤、室内消臭剤、室内用芳香剤、防カビ剤、その他の家庭用品及び自動車用品に用いる事ができる。
【００２６】
【実施例】
以下、本発明の一実施例を図面に於て説明すれば、(１)はエアゾール容器で、殺虫剤、その他の適宜のエアゾール内容物(２５)を充填するとともに図１に示す如く、上端にマウンテンカップ(２)を固定している。このマウンテンカップ(２)の中央部には、適宜のバルブ機構(図示せず)を収納固定し、このバルブ機構にステム(３)を進退可能に接続し、マウンテンカップ(２)の中央部から外部に突出している。そして、このステム(３)はエアゾール容器(１)方向に押圧する事によってバルブ機構を開放し、エアゾール内容物(２５)の噴出を可能としている。
【００２７】
また、マウンテンカップ(２)は、上端に肩カバー(４)を係合固定し、この肩カバー(４)に、ステム(３)を押圧する押圧本体(５)を係合している。この押圧本体(５)は、下端に嵌合部材(６)を嵌合固定し、内部を密閉可能としている。そして、この嵌合部材(６)を、ステム(３)に接続する事により、押圧本体(５)によるステム(３)の押圧を可能としている。また、嵌合部材(６)は、エアゾール容器(１)方向に円筒状の固定筒(７)を突設している。そして、この固定筒(７)の外周を軸方向に数カ所切り欠く事により、内径を拡縮可能としている。この固定筒(７)に臨ませて、肩カバー(４)には、固定筒(７)の通常状態の外径よりも、内径をやや径小とする固定開口(８)を設けている。
【００２８】
この、固定開口(８)と固定筒(７)は、押圧本体(５)によるステム(３)の非押圧時には、互いに係合する事はない。しかし、押圧本体(５)をエアゾール容器(１)方向に強く押し下げれば、ステム(３)を押圧すると同時に、固定筒(７)が内径を縮めながら肩カバー(４)の固定開口(８)に挿入された後、復元方向に力が作用して、固定筒(７)と固定開口(８)とが強固に嵌合する。この固定筒(７)と固定開口(８)との嵌合が容易に解除される事はなく、ステム(３)の押圧状態を継続可能としている。
【００２９】
また、押圧本体(５)は、上部側に押圧ピストン(１０)を上下に摺動可能に配置するとともに、この押圧ピストン(１０)と嵌合部材(６)との間の空間を、ステム(３)から流出するエアゾール内容物の導入室(１１)としている。更に、嵌合部材(６)には、この導入室(１１)とステム(３)とを連通する漏斗状の導入口(１２)を開口している。そして、この導入口(１２)に、導入室(１１)側を幅広、ステム(３)側を幅狭とする円錐形の閉止駒(１３)を上下動可能に挿入配置している。
【００３０】
この閉止駒(１３)は、図７、図８に示す如く、外周面に浅い溝部(１４)を蛇腹状に形成する事により、導入口(１２)の内周面との間に、少量のエアゾール内容物(２５)が流通可能な微量流通路(１５)を形成している。このような構造で微量流通路(１５)を形成する事により、エアゾール内容物の流動抵抗が大きくなるので、導入室(１１)へのエアゾール内容物の流入速度を遅く設定する事ができる。また、この微量流通路(１５)は、螺旋状に形成しても長尺に形成する事ができる。
【００３１】
尚、この微量流通路(１５)の長さや溝部(１４)の深さ、内径等を変える事により、エアゾール内容物(２５)の性質や用途に応じて、製造者は遅延時間を任意に調整した製品を製造する事ができる。即ち、微量流通路(１５)の距離を長くしたり、内径や深さを小さく形成すると、微量流通路(１５)を通過する流動抵抗が高くなるため、エアゾール内容物(２５)の導入室(１１)への流入が緩慢に行われる。従って、外部にエアゾール内容物(２５)が噴射されるまでの時間を長く設定でき、高い遅延効果を得るものとなる。
【００３２】
逆に、微量流通路(１５)の距離を短かくしたり、内径や深さを大きく形成すると、流動抵抗が小さくなるので、エアゾール内容物(２５)の導入室(１１)への流入速度が速くなる。そのため、導入室(１１)内の昇圧速度が速まり、エアゾール内容物(２５)は短時間で外部に噴出するものとなる。
【００３３】
また、閉止駒(１３)は、導入室(１１)側を径大とする円錐形に形成しているので、閉止駒(１３)は導入室(１１)方向には上昇可能であるが、導入口(１２)からステム(３)側に抜け落ちる事はない。また、閉止駒(１３)が導入口(１２)から完全に抜け出さなくても、僅かに上昇するだけで、閉止駒(１３)外周と導入口(１２)内周との間には、エアゾール内容物が大量に流通可能な大量流通路(１９)が形成されるものとなる。
【００３４】
また、この閉止駒(１３)の上面の突当面(２２)に、導入室(１１)内に配置した押圧杆(１６)の下端を突き当てる事により、閉止駒(１３)の上昇を停止している。この押圧杆(１６)は、押圧ピストン(１０)と一体に形成するとともに上下方向に貫通した導出路(１７)を設けている。そして、導出路(１７)の上端に噴射ノズル(１８)を形成し、この噴射ノズル(１８)部分を押圧本体(５)の上部から外方に突出して配置している。
【００３５】
また、押圧杆(１６)と一体に形成した押圧ピストン(１０)は、押圧本体(５)内に於て摺動可能に配置するとともに、押圧本体(５)の天板(２０)との間隔に介装した押圧発条(２１)によって、導入室(１１)方向に押圧付勢されている。また、この押圧発条(２１)の押圧力は、エアゾール内容物(２５)の噴射剤の圧力よりも弱い圧力とし、前記の閉止駒(１３)を押圧杆(１６)を介して押圧している。
【００３６】
このように、押圧杆(１６)が閉止駒(１３)の突当面(２２)を押圧する事により、導入口(１２)を閉止するとともに押圧杆(１６)の導出路(１７)を閉止している。従って、ステム(３)と導入室(１１)とは、前記微量流通路(１５)のみを介して僅かに連通するものとなっている。
【００３７】
また、押圧本体(５)は、閉止駒(１３)の上昇移動先に、円周方向の複数ヶ所に断面Ｔ字型のストッパー(２３)を設けている。このストッパー(２３)に突き当たる事により、閉止駒(１３)の上昇移動が停止するとともに、閉止駒(１３)の上昇先での位置を特定可能としている。また、この停止位置は、図４、図５に示す如く、エアゾール内容物の噴射圧力で上端まで上昇した押圧杆(１６)の導出路(１７)と、閉止駒(１３)の突当面(２２)との間に、エアゾール内容物の流通可能な一定の流通間隔(２４)が介在可能な位置関係とする。
【００３８】
上述の如く構成したものに於て、エアゾール内容物(２５)の遅延噴射を行うには、まず押圧本体(５)をエアゾール容器(１)方向に押し下げ、押圧本体(５)下端の固定筒(７)を肩カバー(４)の固定開口(８)に嵌合し、押圧本体(５)を固定する。この押圧本体(５)の下降に伴い、図２に示す如く、押圧本体(５)は嵌合部材(６)を介してステム(３)を押圧する。
【００３９】
このステム(３)の押圧により、エアゾール容器(１)のバルブ機構が開放され、エアゾール内容物(２５)はステム(３)から導入口(１２)方向に噴出する。この導入口(１２)は、図２、図３に示す如く、閉止駒(１３)により閉止されているので、エアゾール内容物(２５)は導入口(１２)と閉止駒(１３)との間に形成された微量流通路(１５)のみを介して導入室(１１)内に流入し、導入室(１１)内を昇圧する。
【００４０】
しかし、エアゾール内容物(２５)の導入室(１１)への流入が微量流通路(１５)を介して行うものであるため、前記導入室(１１)内の昇圧は、緩慢に行われる。そのため、押圧ピストン(１０)の押圧発条(２１)による導入室(１１)方向への押圧力が優り、直ちに押圧ピストン(１０)を押圧移動させる事はない。この間にエアゾール容器(１)の操作者は室外等へ退避する事ができるので、エアゾール内容物(２５)の人体への付着や吸い込みを防止して、安全な使用が可能となる。
【００４１】
このように、エアゾール内容物(２５)は微量流通路(１５)を介して少量づつ、順次導入室(１１)内に導入され、その導入量が一定の限界を超え、導入圧力が押圧発条(２１)の復元力に優るものとなった時に、図４、図５に示す如く、押圧ピストン(２１)を急激に上昇移動させ、同時に押圧ピストン(１０)に固定した押圧杆(１６)も上昇する。
【００４２】
その結果、押圧杆(１６)による閉止駒(１３)への押圧力が解除されるから、閉止駒(１３)はエアゾール内容物(２５)の噴出圧力によって上方に押し上げられ、導入口(１２)を開放する。この閉止駒(１３)の上昇と同時に、押圧杆(１６)と閉止駒(１３)の突当面(２２)とが流通間隔(２４)を介して分離し、導出路(１７)を開放する。
【００４３】
この閉止駒(１３)は、上昇先に配置したストッパー(２３)に突き当たる事により、上昇移動を停止するので、導入室(１１)内に不規則に吹き飛ばされたり、押圧杆(１６)に接触して導出路(１７)を閉止する可能性を無くする事ができる。
【００４４】
従って、ステム(３)と導入室(１１)とが大きく連通し、ステム(３)から流出したエアゾール内容物(２５)は、導入口(１２)と閉止駒(１３)との間の大量流通路(１９)を介して導入室(１１)内に急激に流入する。そして、この導入室(１１)内のエアゾール内容物(２５)は、流通間隔(２４)を介して押圧杆(１６)の導出路(１７)内に流入した後、噴射ノズル(１８)から外部に連続的に噴射されるものとなる。
【００４５】
また、上記実施例に於いては閉止駒(１３)を円錐状に形成したが、閉止駒(１３)の形状は円錐状に限定されるものではなく、他の異なる実施例に於いては、図９〜図１１に示す如く、閉止駒(１３)は、断面長方形の平板状に形成すると共に外周面の上下方向に、微量流通路(１５)と連通する大流通口(２６)を開口する。そして、微量流通路(１５)は、閉止駒(１３)の下面(２７)または導入口(１２)の底面(２８)に、蛇腹状または螺旋状の溝部を設けて形成しても良い。
【００４６】
そして、押圧杆(１６)による閉止駒(１３)の押圧の解除時には、エアゾール内容物の噴出圧により上昇移動し、閉止駒(１３)の下面(２７)と導入口(１２)の底面(２８)との間に、エアゾール内容物の大量流通路(１９)を形成し、この大量流通路(１９)と大流通口(２６)を介して導入室(１１)とステム(３)とを連通可能とする。
【００４７】
【発明の効果】
本発明は、上述の如く構成したものであるから、エアゾール容器の遅延噴射を行うのに、流動抵抗の高い微量流通路によって、エアゾール内容物の流出時間を遅延して行うので、従来の如き高粘度物等を一切用いる必要がなく、構成を簡易にするとともにエアゾール内容物が高粘度物等と接触して変質したりする恐れがない。また、高粘度物の処理手数等を必要としないから、製造も簡易で廉価な製品を得る事ができる。そして、優れた遅延効果により、エアゾール装置の操作者にエアゾール内容物が付着したり、吸引するのを確実に防止して、安全な使用が可能となる。
【００４８】
また、バルブ機構を開弁してエアゾール内容物が外部に噴射されるまでの経過時間を、微量流通路の距離や内径の大きさを変えるだけで、任意に調整する事が可能となる。従って、エアゾール内容物の使用目的や性能に応じて、遅延効果を任意に設定した製品を製造する事ができる。
【００４９】
また、閉止駒の外周面または導入口の内周面の全面に、蛇腹状の溝部や螺旋状の溝部を設けて微量流通路を形成すれば、微量流通路の距離を長く形成する事ができ、エアゾール内容物の流動抵抗を大きくする事ができる。
【００５０】
また、エアゾール内容物の流動抵抗が大きくなるので、導入室へのエアゾール内容物の流入速度を遅く設定する事ができる。
【図面の簡単な説明】
【図１】  エアゾール容器のバルブ機構の閉止状態を示す断面図。
【図２】  バルブ機構を開放し、エアゾール内容物を導入室内に微量噴出している状態を示す断面図。
【図３】  図２に於ける閉止駒部分の拡大断面図。
【図４】  エアゾール内容物の外部への噴射状態を示す断面図。
【図５】  図４の閉止駒部分を示す拡大断面図。
【図６】  図１のＡ−Ａ線断面図。
【図７】  閉止駒の拡大下面図。
【図８】  図７のＢ−Ｂ線断面図。
【図９】  他の異なる実施例に於けるバルブ機構の閉止状態を示す断面図。
【図１０】  他の異なる実施例に於けるエアゾール内容物の外部への噴射状態を示す閉止駒部分の拡大断面図。
【図１１】  他の異なる実施例に於ける閉止駒の拡大下面図。
【符号の説明】
１    エアゾール容器
３    ステム
６    押圧本体
１０    押圧ピストン
１１    導入室
１２    導入口
１３    閉止駒
１４    溝部
１５    微量流通路
１６    押圧杆
１７    導出路
１８    噴射ノズル
１９    大量流通路
２３    ストッパー
２４    流通間隔
２５    エアゾール内容物
２６    大流通口
２７    下面
２８    底面
【図１】
0004511694.tif 000002
【図２】
0004511694.tif 000003
【図３】
0004511694.tif 000004
【図４】
0004511694.tif 000005
【図５】
0004511694.tif 000006
【図６】
0004511694.tif 000007
【図７】
0004511694.tif 000008
【図８】
0004511694.tif 000009
【図９】
0004511694.tif 000010
【図１０】
0004511694.tif 000011
【図１１】
0004511694.tif 000012